(57)【要約】      （修正有）【課題】台形状断面を有する複数の突条が平行かつ等間隔で形成されている角波板を、母屋などの下地材に固定する為の構造を提供する。【解決手段】角波板１の台形状断面をなした突条３の裏面側に納まる台形状の断面形状を有するブロック状の硬質合成樹脂製のスペーサー５を用意し、スペーサー５の底面１１に突設されているファスナークリップを用いて母屋４の所定位置にスペーサー３を仮固定した状態で、角波板１と母屋４に重ね、タッピングネジ２６によって角波板１を母屋４にスペーサー５を介して固定する様にした。【選択図】図４
2015172275.tif 000002
【特許請求の範囲】
【請求項１】
略台形状断面を有する複数の突条が平行かつ等間隔で形成されている角波板をスペーサーを介して母屋などの下地材に固定する角波板と下地材の固定構造において、一対の対向した長辺と短辺とからなり、短辺は前記角波板の突条の上面部の裏面側の横幅よりわずかに小さく形成されている上面、同じく一対の対向した長辺と短辺とからなり、長辺は前記突条の下端の裏面側の横幅よりわずかに小さく形成されている底面、前記突条の裏面側の断面の寸法よりわずかに小さい略台形状をなした一対の端面、横長長方形をなし、下部が外側に拡がる様に傾斜した一対の側面をそれぞれ有するブロック状をなした硬質合成樹脂製の本体の一対の端面から、下方に向かってひれ状をなした位置決め用のストッパー片を一体的に延設すると共に、底面中央から下方に向かって下地材に仮固定する為の拡径した膨出部を先端に有するファスナークリップを一体的に突設し、ストッパー片が延設されていない側の端面と前記ファスナークリップの突設箇所との間に、上面から底面に達するタッピングネジ用透孔を形成してスペーサーを構成し、該スペーサーの前記ストッパー片を下地材の所望箇所の側面に当接させた状態で、下地材の対応した位置に形成されている円形をなしたファスナークリップ嵌入孔に仮固定ファスナークリップを嵌め込むことにより、スペーサーを下地材に仮固定すると共に、角波板及び下地材のそれぞれ対応した位置にあけられているタッピングネジ用透孔からタッピングネジ用挿入孔へタッピングネジを通してこれをタッピングネジ用挿入孔の内周面に螺合させて締め付け、角波板をスペーサーを介して下地材に固定することを特徴とする角波板と下地材の固定構造。
【請求項２】
下地材が母屋であることを特徴とする請求項１記載の角波板と下地材の固定構造。
【請求項３】
下地材が、サイディング固定用の胴縁であることを特徴とする請求項１記載の角波板と下地材の固定構造。
【請求項４】
スペーサーのタッピングネジ用透孔に補強用に円筒状のパイプが挿入されていることを特徴とする請求項１記載の角波板と下地材の固定構造。
【発明の詳細な説明】
【技術分野】
【０００１】
この発明は、角波板と下地材の固定構造、詳しくは、駐輪場やカーポート等の簡易建築物を構築する際などに屋根として用いられる角波板を、母屋などの下地材に固定する為の構造に関する。
【背景技術】
【０００２】
図７に示す様に、略台形状断面を有する複数の突条３が平行かつ等間隔で平面部２上に形成されている、所謂、角波板は軽量にもかかわらず強度があり、安価で取扱も容易なので、公共施設や集合住宅に付設された駐輪場やカーポート、テラスなどの簡易建築物の屋根材やサイディングなどとして大いに利用されている。
【先行技術文献】
【特許文献】
【０００３】
【特許文献１】特開２０１２−１１７２３１
【非特許文献】
【０００４】
【非特許文献１】なし
【発明の概要】
【発明が解決しようとする課題】
【０００５】
角波板を母屋などの下地材の固定しようとするとき、突条上面にあけたネジ穴から下地材へ向かって固定用のネジを通し、下地材側のナットと螺合させるのが普通であるが、その際にネジをあまり強く締め込むと、突条が下方に向かって強く押圧され、変形したり破損したりすることがあった。
一方、突条が変形したり破損しない程度に、弱い力でネジを締め込んだ場合は、経年劣化や振動によるネジの緩み、あるいは、風圧など何らかの外力等によって角波板が下地材からはずれてしまうおそれがあった。
【０００６】
この為、突条の裏面側にスペーサーを介在させてネジの締め付けの際の押圧力をこのスペーサーで受け、突条の変形及びそれに起因した破損を防ぐ方策も考えられた。
前記特開２０１２−１１７２３１に開示されている屋根材取り付け構造は、その一例であり、長尺状をなした支持部材（スペーサー）を角波板からなる屋根材の突条の裏面側に位置させ、ボルト・ナットやボルトフックなどの固定具で屋根材を支持部材を介して下地材に締め付けて固定する様にしたものである。しかしながら、支持部材（スペーサー）は長尺状をしており、作業性に難があり、屋根材裏面の所定位置に多数の支持部材（スペーサー）を取り付けるのは大変面倒であった。又、長尺状であるので、製造コストも高く、重量もあり、保管や運搬にも不便であった。しかも、駐輪場などの場合、下から見上げた場合、屋根材の下面にこの支持部材（スペーサー）が露出しているので、美観上もあまり好ましくなかった。
【０００７】
一方、チャンネル状断面やブロック状をなした丈の短いスペーサーを角波板の突条の下地材と交差する位置の裏面側に取り付けるものも提案されているが、いずれも強度や作業性、更には美観などの点において必ずしも満足できるものではなかった。
【０００８】
本発明者は角波板と下地材の固定構造に関する上記従来の問題点を解決すべく鋭意研究を行った結果、十分な固定強度を有し、耐久性にすぐれていると共に、作業性も良好で、美観においても十分満足できる新しい角波板と下地材の固定構造を開発することに成功し、本発明としてここに提案するものである。
【課題を解決するための手段】
【０００９】
略台形状断面を有する複数が平行かつ等間隔で形成されている角波板をスペーサーを介して母屋などの下地材に固定する角波板と下地材の固定構造において、一対の対向した長辺と短辺とからなり、短辺は前記角波板の突条の上面部の裏面側の横幅よりわずかに小さく形成されている上面、同じく一対の対向した長辺と短辺とからなり、長辺は前記突条の下端の裏面側の横幅よりわずかに小さく形成されている底面、前記突条の裏面側の断面の寸法よりわずかに小さい略台形状をなした一対の端面、横長長方形をなし、下部が外側に拡がる様に傾斜した一対の側面をそれぞれ有するブロック状をなした硬質合成樹脂製の本体の一対の端面から、下方に向かってひれ状をなした位置決め用のストッパー片を一体的に延設すると共に、底面中央から下方に向かって下地材に仮固定する為の拡径した膨出部を先端に有するファスナークリップを一体的に突設し、ストッパー片が延設されていない側の端面と前記ファスナークリップの突設箇所との間に、上面から底面に達するタッピングネジ用透孔を形成してスペーサーを構成し、該スペーサーの前記ストッパー片を下地材の所望箇所の側面に当接させた状態で、下地材の対応した位置に形成されている円形をなしたファスナークリップ嵌入孔にファスナークリップを嵌め込むことにより、スペーサーを下地材に仮固定すると共に、角波板及び下地材のそれぞれ対応した位置にあけられているタッピングネジ用透孔からタッピングネジ用挿入孔へタッピングネジを通してタッピングネジ用挿入孔の内周面に螺合させて締め付け、角波板をスペーサーを介して下地材に固定する様にして、上記課題を解決した。
【発明の効果】
【００１０】
ファスナークリップ嵌入孔にスペーサーのファスナークリップを押し込み、スペーサーをそのストッパー片で位置決めした状態で、ファスナークリップによって下地材の所定位置に仮固定する。なお、スペーサーのストッパー片の下端を下地材の側面に斜めに押し当て、これを支点としてスペーサーを回動させる様にしながら、ファスナークリップをファスナークリップ嵌入孔の方向に接近させれば、ファスナークリップをファスナークリップ嵌入孔にスムーズに嵌め込むことが出来る。この様にして、下地材の各位置に取付けるべきすべてのスペーサーを仮固定したら、下地材の上面に角波板を被せ、その突条の裏面にスペーサーが挿入された状態で角波板のタッピングネジ用透孔と下地材のタッピングネジ挿入孔及びスペーサーのタッピングネジ用透孔が縦方向にそれぞれの軸芯が一致する様に位置させ、タッピングネジ用透孔にタッピングネジを差し込み、これを回転させ、タッピングネジを下地材に螺合させながら、その奥まで進入させ、角波板と下地材とを固定する。この際、角波板の突条の裏面側には台形状をなしたスペーサーが位置しているので、タッピングネジのねじ込みによって発生する押圧力はこのスペーサーが負担するので、強力に締め込んでも突条が潰れる心配はなく、下地材と角波板は強固に固定される。
【００１１】
この様に、この角波板と下地材の固定構造においては、角波板の突条の潰れを心配することなく、角波板を下地材に十分締め付けることが出来るので、風力などの外力や経年劣化等によって両者の固定が不完全となる事態は従来のものよりはるかに小さく、すぐれた耐久性を有する。
又、スペーサーを下地材に仮固定した状態で、角波板と下地材の結合作業を実施出来ると共に、角波板と下地材の結合はボルト・ナットではなく、タッピングネジを用いているので、ナットが必要でない分、現場作業が楽であり、作業効率の向上、作業コストの低減化を図ることが出来る。更に、ファスナークリップ嵌入孔は円形であるので、ドリル等で容易に形成することが可能で、現場の状況などにより、下地材を間口方向に切り詰めざるを得なくなったときでも、現場においてファスナークリップ嵌入孔を容易に形成し直すことが出来、下地材の間口方向への切り詰めにも臨機応変に対応することが可能である。しかも、スペーサーは小さな部品で、目立たず、角波板の突条と下地材の交差箇所にだけ配置すれば良いので、外観上も違和感は生ぜず、美観においてもすぐれており、駐輪場カーポートなどの簡易建築物用として高い実用性を有する。
【図面の簡単な説明】
【００１２】
【図１】この発明に係る角波板と下地材の固定構造の実施例１の各構成部分を分離して描いた部分拡大斜視図。
【図２】同じく、スペンサー５を母屋４に仮固定した状態の部分拡大斜視図。
【図３】同じく、すべての構成部分が結合された状態の部分拡大斜視図。
【図４】図３に示す状態を矢視Ａ方向から見た正面図。
【図５】同じく、図３に示す状態の拡大断面図。
【図６】同じく、図１に示した状態の更に広い部分を描いた斜視図。
【図７】同じく、図３に示した状態の更に広い部分を描いた斜視図。
【図８】本発明の主要な構成要素であるスペーサー５を斜め下方から見た状態の斜視図。
【図９】同じく、斜め側方から見た状態の斜視図。
【図１０】本発明の主要な構成要素であるスペーサー５の他の実施例を斜め下方から見た状態の斜視図。
【図１１】同じく、斜め側方から見た状態の斜視図。
【図１２】下地材として胴縁を用いた実施例の部分拡大斜視図。
【発明を実施するための形態】
【００１３】
簡易建築物の屋根などとして用いる角波板と母屋などの下地材との結合において、角波板の台形状断面をなした突条の裏面側に納まる台形状の断面形状を有するブロック状の硬質合成樹脂製のスペーサーを用意し、該スペーサーの底面に突設されているファスナークリップを用いて下地材の所定位置に該スペーサーを仮固定した状態で、角波板を下地材に重ね、タッピングネジによって角波板と下地材とをスペーサーを介して結合する様にした点に最大の特徴がある。
【実施例１】
【００１４】
図１乃至図１２を参照しながら、この発明に係る角波材と下地材の固定構造の一実施例について説明する。
図中１は角波板であり、板厚０．５ｍｍ以下の金属製薄板や合成樹脂板などが素材として用いられ、その平面部２上には略台形状断面を呈した突条３が図７に示す様に、平行かつ等間隔で複数本形成されている。なお、この実施例においては、この突条３の高さは１５ｍｍとなっている。
【００１５】
一方、図中４は、下地材の一例として前記角波板１の固定対象となる母屋である。
駐輪場やカーポートなどの簡易建築物の母屋４としては、強度やコスト、組立の容易さなどから、金属製チャンネル材が主に使用されるが、木製や合成樹脂製であっても良い。
【００１６】
更に、５は、この発明において重要な役割を担うスペーサーであり、図８及び図９に示す様に、一対の対向した長辺６と短辺７とからなり、図４に示す様に、短辺７は角波板１の突条３の上面部２０の裏面側の横幅ａよりわずかに小さく形成されている長方形を呈した上面８、同じく一対の対向した長辺９と短辺１０とからなり、短辺１０は角波板１の突条３下端の裏面側の横幅ｂよりわずかに小さく形成されている長方形を呈した底面１１、台形状をなした突条３の裏面側の断面の寸法よりわずかに小さい同形の台形状をなした一対の端面１２、横長長方形をなし、下部が外部に拡がる様に傾斜した一対の側面１３とからなり、図４に示す様に、突条３の裏面側にすっぽりと納まる様な寸法を有するブロック状をなしており、硬質合成樹脂を素材としている。
【００１７】
そして、このスペーサー５の一方の端面１２からは下方に向ってこの端面１２と同じ幅の方形をなしたひれ状の位置決め用のストッパー片１４が一体的に延設されていると共に、底面１１の中央付近からは下地材である母屋４にこのスペーサー５を仮固定する為のファスナークリップ１５が下方に向かって一体的に突設されしている。このファスナークリップ１５は図５及び図８に示す様に、きの子形に拡径した半球状膨出部１６を先端に有する円柱をその軸芯に沿って縦に２等分した様な形状を呈した一対の円弧状柱状体１７を隙間１８を隔てて対向させたものであり、自動車などにおいて内張材等の内装部品やカーペットの固定用などとして広く使用されているものであり、それ自体は公知である。
【００１８】
更に、底面１１のストッパー片１４が延設されていない側の端面１２と前記ファスナークリップ１５の突設箇所のほぼ中間位置には、上面８から底面１１まで貫通したタッピングネジ用長孔１９が形成されている。
なお、このタッピングネジ用長孔１９はストッパー片１４の上面８から底面１１まで単に穴加工したものであるが、経年劣化や過荷重等による破損を防ぐ為、図１０及び図１１に示す様に、補強用に円筒状のパイプ２８を挿入しても良い。
又、スペーサー５は図４及び図５に示す様に、その底面１１が母屋４の上面２１に、そのストッパー片１４が母屋４の側面２５に当接し、その動きが規制された状態で固定されるものであり、母屋４が角波板１の突条３と交差する箇所のその上面２１のファスナークリップ１５の突設箇所に対応する位置には、円形をなしたファスナークリップ嵌入孔２２が、透孔１９に対応する位置にはタッピングネジ挿入孔２３がそれぞれ形成されている。更に、角波板１の突条３には、その裏面側にスペーサー５を挿入した際、スペーサー５の透孔１９の位置に対応する箇所に、突条３の表裏を貫くタッピングネジ用透孔２４が形成されている。
【００１９】
上記スペーサー５を用いた角波板１の母屋４への固定は次の様に行われる。
即ち、図４及び図５に示す様に、スペーサー５のストッパー片１４を母屋４の側面２５に当接させた状態で、母屋４に予め形成されているファスナークリップ嵌入孔２２にスペーサー５のファスナークリップ１５を押し込み、スペーサー５をそのストッパー片１４で位置決めした状態で、ファスナークリップ１５によって母屋４の所定位置に仮固定する。なお、スペーサー５のストッパー片１４の下端を母屋４の側面２５に斜めに押し当て、これを支点としてスペーサー５を回動させる様にしながら、そのファスナークリップ１５をファスナークリップ嵌入孔２２の方向に接近させれば、ファスナークリップ１５をファスナークリップ嵌入孔２２にスムーズに嵌め込むことが出来る。
【００２０】
この様にして、母屋４の各位置に取付けるべきすべてのスペーサー５を仮固定したら、母屋４の上面に角波板１を被せ、その突条３の裏面にスペーサー５が挿入された状態で、図５に示す様に、角波板１のタッピングネジ用透孔２４と母屋４のタッピングネジ挿入孔２３及びスペーサー５のタッピングネジ用長孔１９を縦方向にそれぞれの軸芯が一致する様に位置させ、ゴムパッド２９及び平ワッシャ３０を介してタッピングネジ用透孔２４にタッピングネジ２６を差し込み、これを回転させ、タッピングネジ２６を母屋４のタッピングネジ用挿入孔２３に螺合させながら前進させ、角波板１と母屋４とを固定する。この際、角波板１の突条３の裏面側には台形状をなしたスペーサー５が位置しているので、タッピングネジ２６のねじ込みによって発生する押圧力はスペーサー５が負担するので、強力に締め込んでも突条３が潰れる心配はなく、母屋４と角波板１は強固に固定される。
【００２１】
なお、上記実施例は角波板１を屋根材として用いる為、下地材として母屋４に用いたが、角波板１を壁材つまりサイディングとして用いることも可能であり、その場合は図１２に示す様に下地材として胴縁２７を用い、前記実施例と同様にスペーサー５を介在させて角波板１を胴縁２７にタッピングネジ２６で固定する。
【００２２】
以上述べた様に、この角波板と下地材の固定構造においては、角波板の突条の潰れを心配することなく、角波板を下地材に十分締め付けることが出来るので、風圧などの外力や経年劣化等によって両者の固定が不完全となる事態は従来のものよりはるかに小さく、すぐれた耐久性を有する。
又、スペーサーを下地材に仮固定した状態で、角波板と下地材の結合作業を実施出来ると共に、角波板と下地材の結合はボルト・ナットではなく、タッピングネジを用いているので、ナットが必要でない分、現場作業が楽であり、作業効率の向上、作業コストの低減化を図ることが出来る。更に、ファスナークリップ嵌入孔は円形であるので、ドリル等で容易に形成することが可能で、現場の状況などにより、下地材を間口方向に切り詰めざるを得なくなったときでも、現場においてファスナークリップ嵌入孔を容易に形成し直すことが出来、下地材の間口方向への切り詰めにも臨機応変に対応することが可能である。しかも、スペーサーは小さな部品で目立たず、角波板の突条と下地材の交差箇所にだけ配置すれば良いので、外観上も違和感は生せず、美観においてもすぐれており、駐輪場やカーポートなどの簡易建築物用として高い実用性を有する。
【産業上の利用可能性】
【００２３】
駐輪場、カーポート、テラス、倉庫など、角波板を屋根やサイディング等を用いる各種簡易建築物に大いに利用可能である。
【符号の説明】
【００２４】
１．角波板
２．平面部
３．突条
４．母屋
５．スペーサー
６．長辺
７．短辺
８．上面
９．長辺
１０．短辺
１１．底面
１２．端面
１３．側面
１４．ストッパー片
１５．ファスナークリップ
１６．膨出部
１７．円弧状柱状体
１８．隙間
１９．タッピング用長孔
２０．上面部
２１．上面
２２．ファスナークリップ嵌入孔
２３．タッピングネジ用挿入
２４．タッピングネジ用透孔
２５．側面
２６．タッピングネジ
２７．胴縁
２８．円筒状のパイプ
２９．ゴムパッド
３０．平ワッシャ
【図１】
2015172275.tif 000003
【図２】
2015172275.tif 000004
【図３】
2015172275.tif 000005
【図４】
2015172275.tif 000006
【図５】
2015172275.tif 000007
【図６】
2015172275.tif 000008
【図７】
2015172275.tif 000009
【図８】
2015172275.tif 000010
【図９】
2015172275.tif 000011
【図１０】
2015172275.tif 000012
【図１１】
2015172275.tif 000013
【図１２】
2015172275.tif 000014